(57)【要約】【課題】飲料の生成及び供給が終了した時点における、飲料の生成及び供給中に再生される動画への違和感を少なくすることができる飲料供給装置及び動画再生制御方法を提供すること。【解決手段】表示操作部１０と、飲料の生成及び供給中に表示操作部１０の表示画面に所定時間の動画を繰り返し表示し、飲料の生成及び供給の制御が終了した時点から、所定時間の動画の終了時点まで動画を再生し続ける制御を行うコンテンツ表示制御部５２と、を備える。【選択図】図２
2020045115.tif 000002
【特許請求の範囲】
【請求項１】
飲料を生成する飲料生成部を備え、配置された容器に対して前記飲料生成部から飲料を供給する飲料供給装置であって、
少なくとも各種情報を表示する表示操作部と、
前記飲料の生成及び供給中に前記表示操作部の表示画面に所定時間の動画を繰り返し表示し、前記飲料の生成及び供給の制御が終了した時点から、前記所定時間の動画の終了時点まで前記動画を再生し続ける制御を行うコンテンツ表示制御部と、
を備えたことを特徴とする飲料供給装置。
【請求項２】
前記コンテンツ表示制御部は、前記飲料の生成及び供給の制御の終了に伴って前記所定時間の動画の終了まで再生した後、前記飲料の生成及び供給の終了を示す静止画を表示することを特徴とする請求項１に記載の飲料供給装置。
【請求項３】
飲料を生成する飲料生成部を備え、配置された容器に対して前記飲料生成部から飲料を供給する飲料供給装置の動画再生制御方法であって、
前記飲料の生成及び供給中に表示操作部の表示画面に所定時間の動画を繰り返し表示し、前記飲料の生成及び供給の制御が終了した時点から、前記所定時間の動画の終了時点まで前記動画を再生し続ける制御を行うことを特徴とする動画再生制御方法。
【請求項４】
前記飲料の生成及び供給の制御の終了に伴って前記所定時間の動画の終了まで再生した後、前記飲料の生成及び供給の終了を示す静止画を表示することを特徴とする請求項３に記載の動画再生制御方法。
【発明の詳細な説明】
【技術分野】
【０００１】
本発明は、飲料の生成及び供給が終了した時点における、飲料の生成及び供給中に再生される動画への違和感を少なくすることができる飲料供給装置及び動画再生制御方法に関する。
【背景技術】
【０００２】
従来、例えばコンビニエンスストア等の店舗には、コーヒーマシン等の飲料供給販売装置が設置されている。飲料供給販売装置は、利用者により飲料が選択された場合に、例えばコーヒー豆挽き及びドリッピングの抽出処理等を行って飲料を生成し、容器であるカップに対して飲料を供給するものである。
【０００３】
このような飲料供給販売装置では、利用者がＰＯＳレジスタでカップのサイズの指定及び飲料種を注文して精算を行ったカップを飲料供給販売装置にセットし、飲料のメニューボタンを選択することによってカップに飲料が供給される。
【０００４】
例えば、特許文献１には、利用者の注文に応じて情報コードが用意され、店員がその情報コードをカップに取り付けたものを利用者が受け取り、そのカップを飲料吐出装置の受け皿にセットすると、自動で飲料容器に貼り付けられた情報コードをコード読取部が読み取り、その読取結果に応じて、販売可能な飲料メニューをタッチパネルに表示し、利用者が表示された飲料メニューの中から所望の飲料を選択するものが記載されている。
【先行技術文献】
【特許文献】
【０００５】
【特許文献１】特開２０１７−７７１５号公報
【発明の概要】
【発明が解決しようとする課題】
【０００６】
ところで、表示操作部が全てタッチパネル式の液晶ディスプレイなどで構成され、飲料の供給の開始を指示する確認ボタンを有した飲料供給装置がある。この表示操作部の表示画面には、飲料の生成及び供給中に、例えばコーヒーの抽出処理を示す動画を再生するものがある。この動画は、所定時間の動画を繰り返し表示しているが、実際の飲料の生成及び供給が終了すると、この時点で動画再生を中断し、待機画面に遷移する。
【０００７】
このため、動画再生が途中で切れることになり、顧客は違和感を覚えるという問題があった。
【０００８】
本発明は、上記に鑑みてなされたものであって、飲料の生成及び供給が終了した時点における、飲料の生成及び供給中に再生される動画への違和感を少なくすることができる飲料供給装置及び動画再生制御方法を提供することを目的とする。
【課題を解決するための手段】
【０００９】
上述した課題を解決し、目的を達成するために、本発明にかかる飲料供給装置は、飲料を生成する飲料生成部を備え、配置された容器に対して前記飲料生成部から飲料を供給する飲料供給装置であって、少なくとも各種情報を表示する表示操作部と、前記飲料の生成及び供給中に前記表示操作部の表示画面に所定時間の動画を繰り返し表示し、前記飲料の生成及び供給の制御が終了した時点から、前記所定時間の動画の終了時点まで前記動画を再生し続ける制御を行うコンテンツ表示制御部と、を備えたことを特徴とする。
【００１０】
また、本発明にかかる飲料供給装置は、上記の発明において、前記コンテンツ表示制御部は、前記飲料の生成及び供給の制御の終了に伴って前記所定時間の動画の終了まで再生した後、前記飲料の生成及び供給の終了を示す静止画を表示することを特徴とする。
【００１１】
また、本発明にかかる動画再生制御方法は、飲料を生成する飲料生成部を備え、配置された容器に対して前記飲料生成部から飲料を供給する飲料供給装置の動画再生制御方法であって、前記飲料の生成及び供給中に表示操作部の表示画面に所定時間の動画を繰り返し表示し、前記飲料の生成及び供給の制御が終了した時点から、前記所定時間の動画の終了時点まで前記動画を再生し続ける制御を行うことを特徴とする。
【００１２】
また、本発明にかかる動画再生制御方法は、上記の発明において、前記飲料の生成及び供給の制御の終了に伴って前記所定時間の動画の終了まで再生した後、前記飲料の生成及び供給の終了を示す静止画を表示することを特徴とする。
【発明の効果】
【００１３】
本発明によれば、飲料の生成及び供給が終了した時点における、飲料の生成及び供給中に再生される動画への違和感を少なくすることができる。
【図面の簡単な説明】
【００１４】
【図１】図１は、本発明の実施の形態である飲料供給装置の外観構成を示す斜視図である。
【図２】図２は、図１に示した飲料供給装置の制御系を示すブロック図である。
【図３】図３は、図２に示した制御部による飲料供給制御処理手順を示すフローチャートである。
【図４】図４は、抽出中コンテンツの繰り返し再生と終了とを説明するタイミングチャートである。
【図５】図５は、具体的な抽出中コンテンツの再生画面の遷移を示す図である。
【発明を実施するための形態】
【００１５】
以下、添付図面を参照してこの発明を実施するための形態について説明する。
【００１６】
＜全体構成＞
図１は、本発明の実施の形態である飲料供給装置１の外観構成を示す斜視図である。また、図２は、図１に示した飲料供給装置１の制御系を示すブロック図である。なお、ここで例示する飲料供給装置１は、例えばコンビニエンスストア等の店舗に設置されるコーヒーマシンであり、例えばコーヒー豆挽き及びドリッピングの抽出処理を行って、例えばカップ等の容器Ｃにコーヒー等の飲料を供給するものである。
【００１７】
図１に示すように、飲料供給装置１は、本体キャビネット２及び前面扉３を有する。本体キャビネット２は、前面が開口した略直方状の形態を成すものである。この本体キャビネット２の内部には、飲料（例えばコーヒー）を生成する飲料生成部４４が設けてある。
【００１８】
前面扉３は、本体キャビネット２の前面の開口を閉塞するのに十分な大きさを有する扉体である。この前面扉３は、本体キャビネット２の前方側の一側縁部において、上下方向に沿って延在する図示せぬ軸部の中心軸回りに揺動可能に設けてあり、本体キャビネット２の前面の開口を開閉することが可能である。
【００１９】
前面扉３は、前面が接客面を構成しており、表示操作部１０及び開閉扉４が設けてある。表示操作部１０は、例えばタッチパネルで構成され、各種情報を表示するとともに、各種操作入力が可能である。表示操作部１０には、飲料の生成及び供給の開始を指示する確認ボタン１０ａが表示される。
【００２０】
開閉扉４は、表示操作部１０の下方側に設けられ、開閉扉４の奥行き方向には飲料供給空間ＥＡが形成される。飲料供給空間ＥＡには、ノズル５及びステージ６を有する。ノズル５は、飲料生成部４４で生成された飲料を下方に向けて吐出するものである。ステージ６は、ノズル５の下方域に設けてある。このステージ６は、容器Ｃを載置させるものであり、円弧状のストッパ７が設けてある。すなわち、飲料供給空間ＥＡは、容器Ｃが配置される配置領域でもある。
【００２１】
開閉扉４は、例えば透明な樹脂等の透光性材料により構成されるものであり、飲料供給空間ＥＡの入口側を覆うのに十分な大きさを有している。この開閉扉４は、左側端部が前面扉３に軸支されており、前後方向に沿って揺動可能なものである。つまり、開閉扉４は、飲料供給空間ＥＡに近接離反する態様で前後方向に沿って揺動可能であり、飲料供給空間ＥＡに近接する態様で後方に揺動する場合に飲料供給空間ＥＡの入口側を閉成させることが可能であり、飲料供給空間ＥＡから離隔する態様で前方に揺動する場合に飲料供給空間ＥＡの入口側を開成させることが可能である。
【００２２】
図２に示すように、飲料供給装置１は、表示操作部１０、容器検出部２０、情報読取部３０、扉開閉検出部４１、扉開閉ロック機構４２、記憶部４３、飲料生成部４４及び制御部５０を有する。
【００２３】
表示操作部１０は、タッチパネルなどの入出力インターフェースであり、各種情報の表示及び操作入力を行う。表示操作部１０は、確認ボタン１０ａを有する。
【００２４】
容器検出部２０は、例えば光センサ等の容器検出センサ２１を有し、飲料供給空間ＥＡにおける容器Ｃの配置の有無、すなわちステージ６に容器Ｃが載置されたか否かを検出するものである。
【００２５】
情報読取部３０は、飲料供給空間ＥＡに設けてあり、飲料種別センサ３１、容器サイズセンサ３２を有する。容器サイズセンサ３２は、アイス容量大センサ及びホット容量大センサを有する。
【００２６】
飲料種別センサ３１は、飲料供給空間ＥＡの側面に設けられ、容器検出センサ２１の上部で、全てのサイズの容器Ｃを検出できる方向に向けられる。飲料種別センサ３１は、容器Ｃの色を読み取り、飲料種別を判定する。例えば、飲料種別センサ３１は、容器Ｃの色が白色あるいは茶色である場合、ホットコーヒーであると判定し、それ以外の色である場合、アイスコーヒーであると判定する。なお、飲料種別センサ３１は、容器Ｃの色ではなく、容器Ｃの反射率等から容器Ｃの材質を検出し、この検出結果から飲料種別を判定するようにしてもよい。なお、容器Ｃの色の読み取りによる飲料種別の判定には、記憶部４３に記憶された飲料判定情報Ｄ１を用いて判定する。
【００２７】
上述したように、容器サイズセンサ３２は、アイス容量大センサ及びホット容量大センサを有し、容器Ｃのサイズを検出する。例えば、容器Ｃのサイズとして、大きい順に、アイスＬ（ラージ）サイズ、ホットＬ（ラージ）サイズ、アイスＲ（レギュラー）サイズ、ホットＲ（レギュラー）サイズがある場合、アイス容量大センサは、飲料供給空間ＥＡの側面に設けられ、アイスＬサイズセンサとして、アイスＬサイズのみを検出できる位置に配置され、ホット容量大センサは、飲料供給空間ＥＡの側面に設けられ、ホットＬサイズセンサとして、ホットＬサイズのみを検出できる位置に配置される。
【００２８】
飲料種別センサ３１及び容器サイズセンサ３２は、容器Ｃの飲料種別と飲料容量とを判別する飲料情報検出部として機能する。飲料情報検出部の機能は、例えば、飲料種別センサ３１の検出結果をもとに、アイスコーヒーであるかホットコーヒーであるかを判別し、アイスコーヒーであって、アイス容量大センサが容器Ｃを検出した場合、アイスコーヒーのラージサイズと判定し、アイス容量大センサが容器Ｃを検出しない場合、アイスコーヒーのレギュラーサイズと判定する。また、飲料種別がホットコーヒーである場合、ホット容量大センサが容器Ｃを検出した場合、ホットコーヒーのラージサイズと判定し、ホット容量大センサが容器Ｃを検出しない場合、ホットコーヒーのレギュラーサイズであると判定する。
【００２９】
扉開閉検出部４１は、飲料供給空間ＥＡの入口近傍に設けてあり、例えば光センサ等で構成される。扉開閉検出部４１は、開閉扉４による入口の開閉を検出するものであり、より詳細には、開閉扉４が閉になったか否かを検出する。
【００３０】
扉開閉ロック機構４２は、飲料供給空間ＥＡの入口近傍に設けてある。扉開閉ロック機構４２は、開閉扉４が閉となる状態を保持するロックを行うとともに、開閉扉４の開を許容するロック解除を行う。
【００３１】
記憶部４３は、ハードディスク装置や不揮発性メモリ等からなる記憶デバイスであり、少なくとも飲料判定情報Ｄ１及びコンテンツ情報Ｄ２を記憶する。コンテンツ情報Ｄ２は、飲料の生成及び供給中に繰り返し再生される所定時間の動画である。なお、コンテンツ情報Ｄ２には、飲料の生成及び供給の制御の終了に伴って所定時間の動画の終了まで再生した後、飲料の生成及び供給の終了を示す静止画も含まれる。
【００３２】
飲料生成部４４は、飲料種別センサ３１及び容器サイズセンサ３２によって検出した飲料種別及び飲料容量の飲料を生成して容器Ｃに供給する。飲料生成部４４は、例えばコーヒー豆挽き及びドリッピングの抽出処理等を行って飲料を生成し、容器Ｃに対して飲料を供給する。
【００３３】
制御部５０は、飲料供給装置１の全体制御を行う制御部であり、飲料供給制御部５１及びコンテンツ表示制御部５２を有する。実際には、飲料供給制御部５１及びコンテンツ表示制御部５２に対応するプログラムを不揮発性メモリや磁気ディスク装置などの記憶装置に記憶しておき、これらのプログラムをメモリにロードして、ＣＰＵ（Central  Processing  Unit）で実行することで、対応するプロセスを実行させることになる。
【００３４】
飲料供給制御部５１は、飲料種別センサ３１及び容器サイズセンサ３２が検出した飲料種別及び飲料容量の飲料を、飲料生成部４４に生成させ、容器Ｃに供給する制御を行う。
【００３５】
コンテンツ表示制御部５２は、飲料の生成及び供給中に表示操作部１０の表示画面に所定時間の動画を繰り返し表示し、飲料の生成及び供給の制御が終了した時点から、所定時間の動画の終了時点まで動画を再生し続ける制御を行う。これにより、所定時間の動画は、飲料の生成及び供給の制御が終了した時点で再生が終了することなく、所定時間の動画が終了するまで再生されるので、動画が途中で切れず、顧客に違和感を与えない。なお、コンテンツ表示制御部５２は、飲料の生成及び供給の制御の終了に伴って所定時間の動画の終了まで再生した後、飲料の生成及び供給の終了を示す静止画を表示する。
【００３６】
＜飲料供給制御処理＞
図３は、図２に示した制御部５０による飲料供給制御処理手順を示すフローチャートである。図３に示すように、制御部５０は、容器検出部２０の検出結果をもとに容器Ｃが飲料供給空間ＥＡのステージ６にあるか否かを判定する（ステップＳ１１０）。容器Ｃがステージ６にない場合（ステップＳ１１０，Ｎｏ）、本判定処理を繰り返す。一方、容器Ｃがステージ６にある場合（ステップＳ１１０，Ｙｅｓ）には、扉開閉検出部４１の検知結果をもとに、開閉扉４が閉であるか否かを判定する（ステップＳ１２０）。開閉扉４が閉でない場合（ステップＳ１２０，Ｎｏ）には、ステップＳ１２０の判断処理を繰り返す。一方、開閉扉４が閉である場合（ステップＳ１２０，Ｙｅｓ）には、飲料種別センサ３１及び容器サイズセンサ３２の検出結果をもとに、飲料種別と飲料容量とを決定する（ステップＳ１３０）。
【００３７】
その後、制御部５０は、表示操作部１０に対して、上述したステップＳ１３０で決定した飲料種別及び飲料容量の表示と、確認ボタン１０ａのタッチを案内する案内表示を行う（ステップＳ１４０）。
【００３８】
その後、制御部５０は、確認ボタン１０ａがタッチされたか否かを判定する（ステップＳ１５０）。確認ボタン１０ａがタッチされない場合（ステップＳ１５０，Ｎｏ）には、ステップＳ１５０の判定処理を繰り返す。一方、確認ボタン１０ａがタッチされた場合（ステップＳ１５０，Ｙｅｓ）、扉開閉ロック機構４２を用いて開閉扉４を閉状態にロックする（ステップＳ１６０）。
【００３９】
その後、制御部５０は、飲料供給制御部５１を介して飲料生成部４４に対して飲料の生成及び供給の処理を行わせるとともに、所定時間の動画である抽出中コンテンツの再生を開始する（ステップＳ１７０）。
【００４０】
その後、制御部５０は、飲料生成部４４による飲料供給が終了したか否かを判定する（ステップＳ１８０）。飲料供給が終了していない場合（ステップＳ１８０，Ｎｏ）には、制御部５０は、ステップＳ１７０に戻って飲料の生成及び供給の処理と、抽出中コンテンツの再生を繰り返し続行する。
【００４１】
一方、飲料供給が終了した場合（ステップＳ１８０，Ｙｅｓ）には、制御部５０は、扉開閉ロック機構４２による開閉扉４の閉状態のロックを解除する処理（ステップＳ１９０）と、抽出中コンテンツの終了処理（ステップＳ２００，Ｓ２１０）とを並列処理し、双方の処理が終了した時点で本処理を終了する。
【００４２】
抽出中コンテンツの終了処理（ステップＳ２００，Ｓ２１０）は、まず、抽出中コンテンツの終了タイミングであるか否かを判定する（ステップＳ２００）。すなわち、所定時間の動画の終了時点であるかを判定する。抽出中コンテンツの終了タイミングでない場合（ステップＳ２００，Ｎｏ）には、本判定処理を繰り返し、抽出中コンテンツの再生を続行する。一方、抽出中コンテンツの終了タイミングである場合（ステップＳ２００，Ｙｅｓ）には、抽出中コンテンツの表示を終了するとともに、抽出終了を示す画面（静止画）を表示して処理を終了する。
【００４３】
＜抽出中コンテンツの再生と終了＞
図４は、抽出中コンテンツの繰り返し再生と終了とを説明するタイミングチャートである。図４に示すように、抽出中コンテンツは、所定時間Ｔ１の動画であり、飲料の生成及び供給中、繰り返し再生する。
【００４４】
図４に示すように、３回目の抽出中コンテンツを再生している途中の時点ｔ１１で飲料の生成及び供給が終了すると、この時点ｔ１１から、現在再生中の抽出中コンテンツが終了する時点ｔ４まで再生をし続ける。そして、抽出中コンテンツの再生終了後、抽出終了画面である静止画を表示する。
【００４５】
具体的な抽出中コンテンツは、図５に示すように、抽出されたコーヒーの液滴が容器Ｃ内に落下するまでの動画であり、この動画が繰り返し再生することによって抽出中であることを表示している。なお、終了時の静止画ＰＥは、容器Ｃにコーヒーが供給され、液面の揺れが収まった状態を示している。
【００４６】
以上説明したように、本実施の形態では、飲料の生成及び供給中に表示操作部１０の表示画面に所定時間の動画を繰り返し表示し、飲料の生成及び供給の制御が終了した時点から、所定時間の動画の終了時点まで動画を再生し続ける制御を行うので、顧客に対して違和感を与えない動画再生を行うことができる。
【００４７】
なお、上記の実施の形態及び変形例で図示した各構成は機能概略的なものであり、必ずしも物理的に図示の構成をされていることを要しない。すなわち、各装置及び構成要素の分散・統合の形態は図示のものに限られず、その全部又は一部を各種の使用状況などに応じて、任意の単位で機能的又は物理的に分散・統合して構成することができる。
【符号の説明】
【００４８】
１  飲料供給装置
２  本体キャビネット
３  前面扉
４  開閉扉
５  ノズル
６  ステージ
７  ストッパ
１０  表示操作部
１０ａ  確認ボタン
２０  容器検出部
２１  容器検出センサ
３０  情報読取部
３１  飲料種別センサ
３２  容器サイズセンサ
４１  扉開閉検出部
４２  扉開閉ロック機構
４３  記憶部
４４  飲料生成部
５０  制御部
５１  飲料供給制御部
５２  コンテンツ表示制御部
Ｃ  容器
Ｄ１  飲料判定情報
Ｄ２  コンテンツ情報
ＥＡ  飲料供給空間
ＰＥ  静止画
Ｔ１  所定時間
【図１】
2020045115.tif 000003
【図２】
2020045115.tif 000004
【図３】
2020045115.tif 000005
【図４】
2020045115.tif 000006
【図５】
2020045115.tif 000007